(57)【要約】      （修正有）【課題】抗菌性能に関する耐久性を改善でき、長期間にわたり安定して優れた抗菌性能を維持可能なブラシ用毛材と、それを用いたブラシを提供する。【解決手段】素材に、フィトンチッド、好ましくは、ヒノキオイル等に含まれる優れた抗菌性のある成分であるヒノキチオールが練り込まれたモノフィラメントからなるブラシ用毛材１、及びそれを用いたブラシ３。ヒノキチオールが練り込まれたモノフィラメントからなるブラシ用毛材は、耐久性のある優れた抗菌性能を発現できるとともに、癒し効果のある香りも発現できる。【選択図】図１
2017195951.tif 000002
【特許請求の範囲】
【請求項１】
素材にフィトンチッドが練り込まれたモノフィラメントからなるブラシ用毛材。
【請求項２】
フィトンチッドがヒノキチオールである、請求項１に記載のブラシ用毛材。
【請求項３】
長さが３〜１０００ｍｍの範囲にある、請求項１または２に記載のブラシ用毛材。
【請求項４】
素材中のヒノキチオールの含有量が０．０５〜０．５重量％の範囲にある、請求項１〜３のいずれかに記載のブラシ用毛材。
【請求項５】
素材がポリエステル系樹脂からなる、請求項１〜４のいずれかに記載のブラシ用毛材。
【請求項６】
少なくとも一端部が先細りテーパー形状に形成されている、請求項１〜５のいずれかに記載のブラシ用毛材。
【請求項７】
請求項１〜６のいずれかに記載のブラシ用毛材を用いたブラシ。
【発明の詳細な説明】
【技術分野】
【０００１】
本発明は、各種ブラシに好適なブラシ用毛材及びそれを用いたブラシに関する。
【背景技術】
【０００２】
繊維材料に抗菌性を付与する方法としては、繊維材料の製造段階にて予め練り込む方法、抗菌剤を後加工にて繊維材料に付与する方法等が知られている。繊維材料に抗菌性を付与するために使用される抗菌剤としては、例えば、亜鉛化合物とアルミニウムの硫酸塩との混合物（例えば、特許文献１）や銀系無機抗菌剤（例えば、特許文献２）等が知られている。
【０００３】
しかしながら、上記のような抗菌剤を練り込む方法では、繊維表面近傍に存在する抗菌剤しか抗菌効果を発揮できない、溶融紡糸段階で糸切れを起こやすいという問題があった。また、上記のような抗菌剤を後加工にて繊維材料に付与する方法では、繊維材料に対する抗菌剤の固着力が不足し、抗菌剤が脱落して、抗菌性能に関する耐久性が不足するという問題があった。
【先行技術文献】
【特許文献】
【０００４】
【特許文献１】特開平４−３８９０４号公報
【特許文献２】国際公開第２０１２／０４９９７８号公報
【発明の概要】
【発明が解決しようとする課題】
【０００５】
そこで本発明の課題は、とくに、抗菌性能に関する耐久性を改善でき、長期間にわたり安定して優れた抗菌性能を維持可能なブラシ用毛材と、それを用いたブラシを提供することにある。
【課題を解決するための手段】
【０００６】
上記課題を解決するために、本発明に係るブラシ用毛材は、素材にフィトンチッドが練り込まれたモノフィラメントからなるブラシ用毛材として構成される。ここで、フィトンチッドとは樹木などが発散する揮発性の化学物質の総称であり、植物から抽出液に含まれるものである。その成分には、α―カジノール、カンファー、シトラール、チモール、テレピン油、ヒノキチオール、ボルネオール、メントール、リモネン等が含まれる。本発明に係るブラシ用毛材は、これらの中でも、特にヒノキチオールが練り込まれることが好ましい。ここで、ヒノキチオールとは、ヒノキオイル等に含まれる優れた抗菌性のある成分のことである。
【０００７】
このような本発明に係るブラシ用毛材においては、ブラシ用毛材を構成する素材にフィトンチッド、好ましくはヒノキチオールが練り込まれているが、このヒノキチオール等のフィトンチッドは素材中に液体として存在するため、フィトンチッドが練り込まれた素材がブラシ用毛材に形成された後には、練り込まれていたフィトンチッドが徐々に毛材表面にブリードアウトし、フィトンチッドによる優れた抗菌性能等の性能、例えばヒノキチオールによる優れた抗菌性能が長期間にわたり安定して維持される。また、フィトンチッドの練り込み、好ましくはヒノキチオールの練り込みであるから、従来の抗菌剤を後加工にて繊維材料に付与する方法のように繊維材料に対する抗菌剤の固着力は要求されず、この面からもヒノキチオールを含むフィトンチッドによる優れた抗菌性能が長期間にわたり安定して維持される。さらに、フィトンチッド、特にヒノキチオールは、優れた抗菌性以外にも、ひのきの香りを発現するので、その香りによる癒し効果も期待できる。
【０００８】
上記本発明に係るブラシ用毛材においては、ブラシ用毛材の長さとしては、とくに限定されず、用途に応じて決めればよいが、好ましくは３〜１０００ｍｍの範囲にある。例えば歯ブラシ用毛材の場合には、５〜５０ｍｍ程度の範囲が好ましい長さとして例示でき、一般的な洗浄用のブラシ用毛材の場合には、より長い長さまでの範囲が好ましい長さとして例示できる。
【０００９】
また、本発明に係るブラシ用毛材において、素材中のフィトンチッドとしてのヒノキチオールの含有量としては、０．０５〜０．５重量％の範囲にあることが好ましい。素材中のヒノキチオールの含有量が０．０５重量％未満では、十分に高い抗菌性能を発揮できないおそれがあり、０．５重量％を超えると、含有量増加による抗菌性能の向上効果が飽和した領域に入るおそれが強く、無駄に多い含有量となってしまう。但し、後述の実施例に示すように、素材のマスターバッチを作成し、それを希釈してブラシ用毛材を形成する場合には、マスターバッチの段階では０．５重量％を超える高濃度の含有量とすることができる。
【００１０】
また、本発明に係るブラシ用毛材において、素材の種類はとくに限定されず、通常ブラシ用毛材の素材として用いられているあらゆる種類の素材を使用することが可能である。代表的な素材としては、ＰＢＴ（ポリブチレンテレフタレート）を含む各種ポリエステル樹脂や、各種のポリアミド樹脂を挙げることができる。これらの樹脂を素材として用いることにより、素材自体の優れた耐久性が期待できる。また、本発明における素材中へのフィトンチッドの練り込みも問題なく行うことが可能である。
【００１１】
さらに、本発明に係るブラシ用毛材においては、後述するように、所定長さの毛材の一端部が毛先として使用される場合と、毛材の両端部が毛先として使用される場合があるが、少なくとも一端部が先細りテーパー形状に形成されていることも好ましい。先細りテーパー形状への加工は、薬剤による溶解によってもよく、機械的研磨によってもよい。いずれの場合にあっても、素材中にヒノキチオールが練り込まれているので、先細りテーパー形状に形成された先端まで問題なく所望の抗菌性能が発現される。毛先が先細りテーパー形状に形成されていることにより、毛先が微細部に容易に進入できるため清掃性の向上をはかることができるとともに、毛先の柔軟性を高めて触感等の向上をはかることができる。
【００１２】
本発明は、上記のような本発明に係るブラシ用毛材が少なくとも一部に使用されているブラシについても提供する。とくに、本発明に係るブラシは、上述したように優れた抗菌性能の長期安定性を有するブラシ用毛材が使用されるので、特に歯ブラシ、洗顔ブラシ、化粧ブラシ等として好適である。
【発明の効果】
【００１３】
このように、本発明によれば、優れた抗菌性能の長期安定性を有するブラシ用毛材を提供することができる。また、特にフィトンチッドとしてヒノキチオールを用いる場合、ひのきの香りによる癒し効果も期待できる。
【００１４】
また、本発明によれば、上記のようなブラシ用毛材を少なくとも一部に使用した各種ブラシを提供でき、特に抗菌性能を有することが望ましい歯ブラシ、洗顔ブラシ、化粧ブラシ等として好適なブラシを提供することができる。
【図面の簡単な説明】
【００１５】
【図１】ブラシ用毛材を歯ブラシに使用する際の植毛方法を示す概略構成図である。
【発明を実施するための形態】
【００１６】
以下に、本発明の実施の形態について説明する。
本発明に係るブラシ用毛材は、素材にフィトンチッド、好ましくはヒノキチオールが練り込まれたモノフィラメントからなるブラシ用毛材として構成されるものである。このように構成されたブラシ用毛材が、各種ブラシの作製のために少なくとも一部に使用される。一般に、ブラシ用毛材をブラシ構成部材に植毛する際の方法として、代表的に二種の方法が知られているが、これら二種の方法を、歯ブラシへの使用の場合を例にとって、図１を参照しながら説明する。
【００１７】
図１（Ａ）は、ブラシ用毛材１が歯ブラシ構成部材２のヘッド部に植毛された歯ブラシ３を示しており、このブラシ用毛材１の植毛方法として、図１（Ａ）のａ−ａ線に沿う拡大断面図である図１（Ｂ）、（Ｃ）に示すような二種の方法がある。図１（Ｂ）に示す方法では、植毛穴４に二つ折りにしたブラシ用毛材１を差し込み、平線５と称されている固定具でブラシ用毛材１を歯ブラシ構成部材２に固定する。完成された歯ブラシは、通常、平線歯ブラシと呼ばれている。このような平線歯ブラシでは、予め作製されたブラシ用毛材１の両端部がブラシの毛先となる。図１（Ｃ）に示す方法では、歯ブラシ構成部材２のヘッド部表面側部材２ａの貫通穴６にブラシ用毛材１の一端部を挿通させ、挿通されたブラシ用毛材１の端部に加熱装置(図示略)を当てて焼玉７と称されている抜け防止あるいは固定用の塊を形成し、しかる後に、ヘッド部裏面側部材２ｂを接合し焼玉７を隠して歯ブラシ商品を完成させる。完成された歯ブラシは、通常、無平線歯ブラシと呼ばれている。このような無平線歯ブラシでは、予め作製されたブラシ用毛材１の一端部がブラシの毛先となる。したがって、本発明に係るブラシ用毛材１が使用される場合であって端部に先細りテーパー部が形成される場合においては、ブラシ用毛材が平線歯ブラシに使用される場合には、毛材の両端部に先細りテーパー部が形成されることになり、無平線歯ブラシに使用される場合には、毛材の一端部に先細りテーパー部が形成されることになる。
【実施例】
【００１８】
以下に、本発明に係るブラシ用毛材の実施例について説明する。
フィトンチッドとしてのヒノキチオールが含まれるヒノキオイルをＰＢＴ（ポリブチレンテレフタレート）中に１０重量％練り込んだマスターバッチを作成した。乾燥したＰＢＴと上記マスターバッチを、ヒノキチオール濃度が０．１５重量％となるように混合して原料としての混合物を作製し、これを溶融紡糸してヒノキチオールが練り込まれたモノフィラメントを得た。
【００１９】
上記溶融紡糸では、２７０℃の溶融紡糸機内で溶融混練した後、口金から溶融物を押し出した。引き続き、押し出された溶融物を、２０℃の冷却浴中で冷却固化した後、４．５倍に加熱延伸し、熱セットを行って、ＰＢＴモノフィラメント（直径０．１８ｍｍ）を得た。得られたＰＢＴモノフィラメントを長さ３０ｍｍにカットし、ブラシ用毛材としての抗菌性能と癒し効果を以下のように評価した。
【００２０】
（１）抗菌性能：
ＪＩＳ  Ｌ  １９０２：２００８（菌液吸収法）に準じて、混釈平板培養法にて定量した。次いで、ＪＩＳ  Ｌ  ０２１７に合致したＪＡＦＥＴ標準洗剤にて洗浄した（ＪＡＦＥＴ：一般財団法人  繊維評価技術協議会）。
使用した細菌は、黄色ぶどう球菌（ＮＢＲＣ  １２７３２）で、抗菌活性値を測定した結果、洗浄前の上記ブラシ用毛材の抗菌活性値は５．８以上であり、強い抗菌効果が認められた。洗浄後の抗菌活性値は２．８であり、洗浄後にも優れた抗菌効果が認められた。したがって、本発明に係るヒノキチオールが練り込まれたモノフィラメントからなるブラシ用毛材では、優れた抗菌性能が発現されることを確認できた。
【００２１】
（２）癒し効果：
上記ブラシ用毛材について、テスター１０名により香りの評価を行った結果、テスター１０名中８名がリラックスできる香り（ひのきの香り）であると評価した。したがって、本発明に係るヒノキチオールが練り込まれたモノフィラメントからなるブラシ用毛材では、癒し効果のある香りが発現されることも確認できた。
【産業上の利用可能性】
【００２２】
本発明に係るブラシ用毛材は、あらゆるブラシに適用でき、特に、抗菌性能と癒し効果発現の面からは、歯ブラシ、洗顔ブラシ、化粧ブラシ等として好適である。
【符号の説明】
【００２３】
１  ブラシ用毛材
２  歯ブラシ構成部材
２ａ  ヘッド部表面側部材
２ｂ  ヘッド部裏面側部材
３  歯ブラシ
４  植毛穴
５  平線
６  貫通穴
７  焼玉
【図１】
2017195951.tif 000003